(57)【要約】【課題】メタルドームと基板との間の空間を密閉していない場合であっても、メタルドームと基板との間に静電気が侵入する可能性を低くする。【解決手段】デジタルカメラ１００は、第１のスイッチ配線部６０６と第２のスイッチ配線部６０７とが設けられた操作基板６００と、メタルドーム６０１ａを含み、操作基板６００に貼り付けられる第１のメタルドームシート６０１を備え、電源ボタン１０１が押下されると、メタルドーム６０１ａが押圧されて、第１のスイッチ配線部６０６と第２のスイッチ配線部６０７とがメタルドーム６０１ａを介して電気的に接続される。メタルドームシート６０１に、メタルドーム６０１ａの周縁部からメタルドーム６０１ａの略中心を挟んで対向する領域に設けられたドームシート通気開口６０１ｅに至る空気の経路６０１ｇを設ける。【選択図】図２
2015076171.tif 000002
【特許請求の範囲】
【請求項１】
第１の配線部と第２の配線部とが形成された基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材と、操作されることで前記弾性部材を弾性変形させる操作部材とを備え、前記操作部材の操作によって前記弾性部材を弾性変形させると弾性変形した前記弾性部材によって前記第１の配線部と前記第２の配線部とが電気的に接続される電子機器であって、
前記シート部材には、前記シート部材の周縁部に通気開口が形成され、
前記シート部材には、前記弾性部材と前記基板との間の空間と前記通気開口とを連結した空気の経路が形成され、
前記空気の経路が前記弾性部材と前記基板との間の空間に連結される連結領域は、前記連結領域と前記通気開口との間に前記弾性部材を挟む位置に形成されることを特徴とする電子機器。
【請求項２】
前記弾性部材は、対向する２辺が切り欠かれた略長円形の形状を有し、
前記空気の経路は、前記切り欠かれた一方の辺に対応する領域から前記通気開口に至ることを特徴とする請求項１に記載の電子機器。
【請求項３】
前記基板において、前記弾性部材の前記切り欠かれた他方の辺に対応する部分から、前記第１の配線部と前記第２の配線部の少なくとも一方から信号線が引き出されていることを特徴とする請求項２に記載の電子機器。
【請求項４】
前記操作部材は、前記シート部材に当接したときの押圧動作を規制する押圧受け部を有し、
前記空気の経路は、前記押圧受け部を回避するように形成されていることを特徴とする請求項１乃至３のいずれか１項に記載の電子機器。
【請求項５】
前記操作部材を押圧動作可能に保持する腕部を有し、
前記空気の経路は、前記連結領域から前記通気開口まで、前記腕部の前記基板への投影形状と略同一の形状を有するように形成されていることを特徴とする請求項１乃至４のいずれか１項に記載の電子機器。
【請求項６】
前記シート部材は、前記基板に貼り付けられる粘着シートを有し、
前記空気の経路は、前記粘着シートを部分的に除去することにより形成されていることを特徴とする請求項１乃至５のいずれか１項に記載の電子機器。
【請求項７】
前記シート部材は、前記基板に粘着固定されるスペーサシートと、前記スペーサシートを前記基板に粘着固定する粘着シートとを有し、
前記空気の経路は、前記スペーサシートおよび前記粘着シートを部分的に除去することにより形成されていることを特徴とする請求項１乃至５のいずれか１項に記載の電子機器。
【請求項８】
前記シート部材は、１つの前記弾性部材に対して、少なくとも１つの前記空気の経路を有することを特徴とする請求項１乃至７のいずれか１項に記載の電子機器。
【請求項９】
前記シート部材と前記基板はそれぞれ、前記シート部材を前記基板に固定するための少なくとも１つの位置決め孔を有し、
前記位置決め孔は、前記空気の経路よりも前記弾性部材の中心から離れた位置に設けられていることを特徴とする請求項１乃至８のいずれか１項に記載の電子機器。
【請求項１０】
前記空気の経路は、前記弾性部材の周縁に沿うように形成されていることを特徴とする請求項１乃至９のいずれか１項に記載の電子機器。
【請求項１１】
前記空気の経路に沿ってグランド配線部が形成されていることを特徴とする請求項１乃至１０のいずれか１項に記載の電子機器。
【請求項１２】
第１の配線部と第２の配線部とが形成された基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材とを備え、前記弾性部材を弾性変形させると弾性変形した前記弾性部材によって前記第１の配線部と前記第２の配線部とが前記弾性部材を介して電気的に接続されるメタルドームスイッチであって、
前記シート部材には、前記シート部材の周縁部に通気開口が形成され、
前記シート部材には、前記弾性部材と前記基板との間の空間と前記通気開口とを連結した空気の経路が形成され、
前記空気の経路が前記弾性部材と前記基板との間の空間との連結される連結領域は、前記連結領域と前記通気開口との間に前記弾性部材を挟む位置に形成されることを特徴とするメタルドームスイッチ。
【発明の詳細な説明】
【技術分野】
【０００１】
本発明は、メタルドームスイッチ及び電子機器に関し、特に、メタルドームシートスイッチを備える電子機器に関する。
【背景技術】
【０００２】
電子機器の一例であるデジタルカメラ等の撮像装置には、電源ボタンやレリーズボタン、ズームレバー、表示部、十字キー等の操作ボタンが設けられている。ここで、電源ボタンや操作ボタンの押圧動作を検知するために、メタルドームスイッチが使用されている。
【０００３】
メタルドームスイッチとは、例えば、基板に形成される２つの電極部の上に導電性を有するメタルドームを配置し、メタルドームの変形によって２つの電極部を導通させるスイッチである。
【０００４】
特許文献１に記載された技術では、メタルドームを基板上に固定するために、基板に貼り付けられる粘着シートにおいて、少なくとも２個の隣接するメタルドーム間の粘着層を除去し、空気逃げ部を形成している。
【先行技術文献】
【特許文献】
【０００５】
【特許文献１】特許第４４１７５８８号公報
【発明の概要】
【発明が解決しようとする課題】
【０００６】
１つの基板上に複数のメタルドームが配置されるメタルドームスイッチでは、メタルドームが変形したときに、メタルドームと基板との間の空気は上述した空気逃げ部を通過して他のメタルドームと基板との間に排出される。
【０００７】
しかしながら、１つの基板上に１つのメタルドームが配置されるメタルドームスイッチでは、粘着シートの周縁部の粘着層を除去し、メタルドームが変形したときに、メタルドームと基板との間の空気を外に排出することになる。したがって、１つの基板上に１つのメタルドームが配置されるメタルドームスイッチでは、メタルドームと基板との間の空間を粘着シートで密閉することができない。
【０００８】
一方、電子機器の使用者が静電気を帯電していることがあり、その場合、電子機器を使用した際に電子機器に静電気が印加されてしまうことがある。静電気は、一般的に、数千乃至数万ボルトの高電圧を有する電荷であるため、電子機器に静電気が印加されると、電子機器の内部回路に致命的な損傷が生じるおそれがある。
【０００９】
静電気は、使用者の指先から操作ボタンと外装カバーとの間の隙間を通って電子機器内部に侵入することが多い。したがって、１つの基板上に１つのメタルドームが配置されるメタルドームスイッチでは、静電気が通気口からメタルドームと基板との間の空間に侵入するおそれがある。静電気がメタルドームスイッチの内部、すなわち、メタルドームと基板との間の空間に侵入すると、基板に形成された配線パターンを介して電子回路が誤動作を起こし、或いは、電子部品が損傷してしまうおそれがある。
【００１０】
本発明は、メタルドームと基板との間の空間を密閉していない場合であっても、メタルドームと基板との間に静電気が侵入する可能性を低くすることができるメタルドームスイッチ及び電子機器を提供することを目的とする。
【課題を解決するための手段】
【００１１】
本発明に係る電子機器は、第１の配線部と第２の配線部とが形成された基板と、導電性を有し、前記第１の配線部の一部と前記第２の配線部の一部とを覆うように配置されるドーム形状の弾性部材と、絶縁材料で形成され、前記弾性部材と前記第１の配線部と前記第２の配線部とを覆うように前記基板に貼り付けられるシート部材と、操作されることで前記弾性部材を弾性変形させる操作部材とを備え、前記操作部材の操作によって前記弾性部材を弾性変形させると弾性変形した前記弾性部材によって前記第１の配線部と前記第２の配線部とが電気的に接続される電子機器であって、前記シート部材には、前記シート部材の周縁部に通気開口が形成され、前記シート部材には、前記弾性部材と前記基板との間の空間と前記通気開口とを連結した空気の経路が形成され、前記空気の経路が前記弾性部材と前記基板との間の空間に連結される連結領域は、前記連結領域と前記通気開口との間に前記弾性部材を挟む位置に形成されることを特徴とする。
【発明の効果】
【００１２】
本発明によれば、メタルドームと基板との間の空間を密閉していない場合であっても、メタルドームと基板との間に静電気が侵入する可能性を低くしたメタルドームスイッチ及び電子機器を提供することができる。
【図面の簡単な説明】
【００１３】
【図１】本発明の実施形態に係るデジタルカメラの外観斜視図である。
【図２】図１のデジタルカメラの分解斜視図、部分的な分解斜視図及び第１実施形態に係る第１のメタルドームシートの平面透視図である。
【図３】図１のデジタルカメラが備える第２のメタルドームシートの構造を示す図である。
【図４】本発明の実施形態に係るデジタルカメラの部分的な分解斜視図及び第２実施形態に係る第１のメタルドームシートの平面透視図である。
【図５】本発明の実施形態に係るデジタルカメラの電源ボタン近傍の構造を示す上面透視図及び電源ボタン１０１近傍の構造をデジタルカメラの背面側から見た図である。
【図６】本発明の実施形態に係るデジタルカメラの部分的な分解斜視図及び第４実施形態に係る第１のメタルドームシートの平面透視図である。
【図７】本発明の実施形態に係るデジタルカメラの部分的な分解斜視図及び第５実施形態に係る第１のメタルドームシートの平面透視図である。
【図８】本発明の実施形態に係るデジタルカメラの部分的な分解斜視図及び第６実施形態に係る第１のメタルドームシートの平面透視図である。
【図９】本発明の実施形態に係るデジタルカメラの部分的な分解斜視図及び第７実施形態に係る第１のメタルドームシートの平面透視図である。
【発明を実施するための形態】
【００１４】
以下、本発明の実施形態について添付図面を参照して詳細に説明する。ここでは、本発明に係る電子機器として、コンパクトタイプのデジタルカメラを取り上げることとする。
【００１５】
＜第１実施形態＞
図１は、本発明の第１実施形態に係るデジタルカメラ１００の外観斜視図であり、図１（ａ）は、デジタルカメラ１００を正面側から見た斜視図であり、図１（ｂ）は、デジタルカメラ１００を背面側から見た斜視図である。
【００１６】
デジタルカメラ１００は、外観部を構成するフロントカバー１０９と、リアカバー１１０とを備える。フロントカバー１０９とリアカバー１１０とは、互いに係止爪によって固定されると共に、ビス等によりバッテリボックス３００（図２参照）等の内部構造体に固定される。
【００１７】
デジタルカメラ１００の正面には、沈胴式のレンズ鏡筒２００及びストロボ４００が配置されている。レンズ鏡筒２００は、フォーカスレンズやズームレンズを含み、被写体像を光電変換して画像デ−タを生成するＣＣＤセンサ或いはＣＭＯＳセンサ等の撮像素子に撮影光束を結像させる。ストロボ４００は、撮影時に光量が足りないとき等、撮影場面に応じて発光し、被写体に閃光を照射する。
【００１８】
デジタルカメラ１００の上面には、操作部材の一部である電源ボタン１０１、レリーズボタン１０２及びズームレバー１０３が設けられている。電源ボタン１０１の押下により、デジタルカメラ１００は撮影可能状態となる。レリーズボタン１０２は、２段スイッチで構成されており、半押しでＡＦ動作やＡＥ動作等が行われ、全押しで露光（本撮影）が行われる。ズームレバー１０３の操作により、撮影画角の変更が可能となっている。
【００１９】
デジタルカメラ１００の背面には、液晶ディスプレイ５００及び操作ボタン群１０５が設けられており、デジタルカメラ１００の側面には、ストラップ取り付け用部材１０６及びコネクタ蓋１０７が設けられている。液晶ディスプレイ５００は、撮影する被写体像や撮影された画像、デジタルカメラ１００の各種設定メニューやアイコン等を表示する。操作ボタン群１０５は、液晶ディスプレイ５００に表示する画像の選択や、各種設定メニューやアイコン等の表示と選択に用いられる。ストラップ取り付け用部材１０６にはストラップを取り付けることができる。コネクタ蓋１０７は開閉可能であり、コネクタ蓋１０７を開くと、外部出力ケーブルを取り付けるためのコネクタ（不図示）が現れる。
【００２０】
図２は、デジタルカメラ１００の分解斜視図である。図２（ａ）は、デジタルカメラ１００全体の背面側から見た分解斜視図であり、図２（ｂ）は、電源ボタン１０１に対して配置される、シート部材としての第１のメタルドームシート６０１の分解斜視図であり、図２（ｃ）は、第１のメタルドームシート６０１の透視平面図である。
【００２１】
デジタルカメラ１００を背面側から見て、レンズ鏡筒２００の右側には、電源となる主電池を挿入するためのバッテリボックス３００が配置されており、また、レンズ鏡筒２００の上側には、警告音等を発音するスピーカ３０１が配置されている。電源ボタン１０１、レリーズボタン１０２及びズームレバー１０３は、トップユニット１０８としてユニット化されており、トップユニット１０８は、デジタルカメラ１００の上部からバッテリボックス３００へ係止爪（不図示）によって固定される。
【００２２】
デジタルカメラ１００を背面側から見て、液晶ディスプレイ５００の右側には、操作基板６００が配置されている。操作基板６００は、屈曲性を有するフレキシブル基板であり、絶縁性を有するポリイミド等のフィルムを用いたベースフィルムとカバーレイフィルムとで銅箔からなる配線パターンを挟み、熱硬化性の接着材を用いて接着された構造を有する。
【００２３】
操作基板６００は、上面及び背面に屈曲されて配置されており、操作基板６００の上面側はバッテリボックス３００に保持され、操作基板６００の背面側はサブシャーシ３０２で保持されている。操作基板６００には、電源ボタン１０１を操作したときの動作を検知するための第１のメタルドームシート６０１が固定されている。第１のメタルドームスイッチは、操作基板６００と第１のメタルドームシート６０１で構成されている。
【００２４】
また、操作基板６００には、操作ボタン群１０５を操作したときの動作を検知するための第２のメタルドームシート６０４が固定されている。第２のメタルドームスイッチは、操作基板６００と第２のメタルドームシート６０４で構成されている。レリーズボタン１０２を操作したときの動作を検知するレリーズスイッチ６０２は、操作基板６００に半田付けにて実装されている。操作基板６００には、ズームレバー１０３の操作したときの動作を検知するズームパターン６０３が形成されている。第１のメタルドームシート６０１、第２のメタルドームシート６０４はそれぞれ、粘着シートにより操作基板６００に粘着固定されている。
【００２５】
バッテリボックス３００の背面側には、メイン基板６０５がビス等により固定されており、メイン基板６０５は更にメインシャーシ３０３に固定されている。メインシャーシ３０３は、レンズ鏡筒２００、ストロボ４００、サブシャーシ３０２、液晶ディスプレイ５００をビスや両面テープ等を用いて保持している。メイン基板６０５にはデジタルカメラ１００の動作制御を行う制御回路（不図示）と、操作基板６００との電気的接続に用いられるコネクタ（不図示）とが実装されている。操作基板６００には、メイン基板６０５のコネクタと電気的に接続するための端子部（不図示）が設けられており、これらのコネクタと端子部とが接続されることにより、メイン基板６０５と操作基板６００との間での電気信号の授受が可能となる。
【００２６】
図３は、第２のメタルドームシート６０４の構造を示す図である。図３（ａ）は、第２のメタルドームシート６０４の平面透視図であり、図３（ｂ）は、図３（ａ）中の矢視Ａ−Ａ断面図である。第２のメタルドームシート６０４は、複数のメタルドーム６０４ａと、粘着シート６０４ｂと、ＰＥＴ（ポリエチレンテレフタレート）フィルム６０４ｃとにより構成されている。
【００２７】
粘着シート６０４ｂにより複数のメタルドーム６０４ａがＰＥＴフィルム６０４ｃに粘着固定されている。また、粘着シート６０４ｂには、メタルドーム６０４ａが押圧されたときに空気を逃がすための空気の経路６０４ｄが形成されている。通常、隣接したスイッチを同時に押圧操作することは殆どないため、複数のメタルドーム６０４を備える場合、空気の経路６０４ｄを少なくとも２カ所のメタルドーム間で空気の行き来が可能となるように設ける。これにより、空気の逃げをスムーズに行うことができる。仮に、隣接したスイッチが同時押圧された場合でも、全てのメタルドーム間で空気の行き来ができるように空気の経路６０４ｄを設けておけば、スムーズに空気を逃がすことができ、良好な操作感を得ることができる。
【００２８】
第２のメタルドームシート６０４と同様に、第１のメタルドームシート６０１は、図２（ｂ），（ｃ）に示すように、メタルドーム６０１ａ、粘着シート６０１ｂ、ＰＥＴフィルム６０１ｃにより構成されている。第１の粘着シート６０１ｂ１、スペーサシート６０１ｈ、第２の粘着シート６０１ｂ２及びＰＥＴフィルム６０１ｃは、それぞれ絶縁材料で形成される。
【００２９】
メタルドーム６０１ａは、ドーム形状を有し、一般的に金属で構成される導電性の弾性部材であり、粘着シート６０１ｂによりＰＥＴフィルム６０１ｃに粘着固定されている。粘着シート６０１ｂには、粘着シート６０１ｂの一部を除去することにより、メタルドーム６０１ａが押圧されたときに空気を逃がすための空気の経路６０１ｇが形成されている。ＰＥＴフィルム６０１ｃの面積が小さい場合には、空気の経路６０１ｇをＰＥＴフィルム６０１ｃの周縁部まで延出させて、メタルドームが変形したときに、メタルドームと基板との間の空気を排出する必要がある。そのため、メタルドームシート６０１の周縁部には、メタルドームシート通気開口６０１ｅが設けられている。第１のメタルドームシート６０１には、メタルドーム６０１ａと操作基板６００との間の空間と、メタルドームシート通気開口６０１ｅとを連結した空気の経路６０１ｇが形成されている。
【００３０】
一方、操作基板６００上には、第１のスイッチ配線部６０６と、第２のスイッチ配線部６０７とが設けられている（適宜、図２（ｂ）参照）。第２のスイッチ配線部６０７は、メタルドーム６０１ａの周縁部と常に接触して電気的に結合しているが、第１のスイッチ配線部６０６は、メタルドーム６０１ａとは接触していない。メタルドーム６０１ａを押圧する押圧部材である電源ボタン１０１が押下されてメタルドーム６０１ａが押圧されると、メタルドーム６０１ａはドーム形状が反転するように弾性変形して第１のスイッチ配線部６０６と接触する。これにより、第１のスイッチ配線部６０６と第２のスイッチ配線部６０７とがメタルドーム６０１ａを介して導通する。第１のスイッチ配線部６０６と第２のスイッチ配線部６０７との導通を検知することで、メタルドーム６０１ａ（電源ボタン１０１）が押下されたことを検知することができる。
【００３１】
メタルドーム６０１ａは、対向する２辺が切り欠かれた略長円形の形状を有する。空気の経路６０１ｇは、粘着シート６０１ｂにおいてメタルドーム６０１ａの切り欠かれた一方の辺に対応する領域６０１ｆから、メタルドーム６０１ａの周縁に沿って、メタルドーム６０１ａの中心線６０８を挟んで対向する領域に設けられたメタルドームシート通気開口６０１ｅまで延出されている。なお、中心線６０８は、メタルドーム６０１ａの略中心を通り、メタルドーム６０１ａの切り欠かれた２辺と平行な線として定義される。すなわち、空気の経路６０１ｇがメタルドーム６０１ａと操作基板６００との間の空間に連結される連結領域は、連結領域とメタルドームシート通気開口６０１ｅとの間にメタルドーム６０１ａを挟む位置に形成されている。
【００３２】
ここで、メタルドームシート６０１を操作基板６００に粘着固定する際には、メタルドームシート６０１の位置決め孔６０１ｉ（図２（ｂ），（ｃ）参照）と操作基板６００の位置決め孔６００ｉ（図２（ｂ）参照）とを合わせて、固定位置を決定する。その際、位置決め孔６０１ｉ，６００ｉ同士の距離が離れている方が好ましく、これにより、固定作業の際の位置ズレを抑えることができる。このような構成において第１のメタルドームシート６０１を小型化するために、本実施形態では、空気の経路６０１ｇをメタルドーム６０１ａの周縁部に沿わせて形成し、位置決め孔６０１ｉを空気の経路６０１ｇよりもメタルドーム６０１ａの中心から離れた位置に設けている。これは、以下の理由による。
【００３３】
すなわち、通常、デジタルカメラ等に使用されるメタルドームは直径４ｍｍφ程度であり、この場合、本実施形態のように空気の経路６０１ｇを形成すると、その全長は１１ｍｍ程度となる。この場合、メタルドームシート通気開口６０１ｅの直近にフロントカバー１０９とトップユニット１０８の合わせ目が設定される。この合わせ目の隙間からデジタルカメラ１００内に静電気が侵入することがあっても、静電気の気中放電の規格電圧に対して、空気の経路６０１ｇには十分な沿面距離を確保することができる。よって、メタルドームシート通気開口６０１ｅを設けたメタルドームシート６０１において、避雷針等の特別な配線を設けることなく、静電気の侵入を防ぐことができ、これにより、電子回路の損傷や誤動作を防ぐことができる。
【００３４】
＜第２実施形態＞
以下に説明する第２乃至第７実施形態が上述した第１実施形態と比較して異なる点は、電源ボタン１０１に対して配設される第１のメタルドームシートとその周辺の構造であり、よって、以下の説明では、この相違点を中心に説明を行うこととする。
【００３５】
図４（ａ）は、本発明の第２実施形態に係るデジタルカメラの部分的な分解斜視図であり、図４（ｂ）は、図４（ａ）に示す第１のメタルドームシート６１１の平面透視図である。第１のメタルドームシート６１１は、メタルドーム６１１ａ、粘着シート６１１ｂ１、スペーサシート６１１ｈ、粘着シート６１１ｂ２及びＰＥＴフィルム６１１ｃにより構成されている。メタルドーム６１１ａは、粘着シート６１１ｂ２によりＰＥＴフィルム６１１ｃに粘着固定されている。スペーサシート６１１ｈは、粘着シート６１１ｂ１により操作基板６００に粘着固定されている。
【００３６】
メタルドーム６１１ａは、第１実施形態で説明したメタルドーム６０１ａと同じである。スペーサシート６１１ｈと粘着シート６１１ｂ１には、これらの一部を除去することにより、電源ボタン１０１が押下されたことによりメタルドーム６１１ａが押圧されたときに空気を逃がすための空気の経路６１１ｇが形成されている。ここで、ＰＥＴフィルム６１１ｃの面積が小さい場合には、ＰＥＴフィルム６１１ｃの周縁部まで空気の経路６１１ｇを延出させて、メタルドームが変形したときにメタルドームと基板との間の空気を排出する必要がある。そのため、第１のメタルドームシート６１１の周縁部には、メタルドームシート通気開口６１１ｅが設けられている。第１のメタルドームシート６１１には、メタルドーム６１１ａと操作基板６００との間の空間と、メタルドームシート通気開口６１１ｅとを連結した空気の経路６１１ｇが形成されている。そして、空気の経路６１１ｇは、スペーサシート６１１ｈと粘着シート６１１ｂ１において、メタルドーム６１１ａの切り欠かれた一方の辺に対応する領域６１１ｆからメタルドーム６１１ａの中心線６０８を挟んで対向する領域に設けられたメタルドームシート通気開口６１１ｅまで延出されている。すなわち、空気の経路６１１ｇがメタルドーム６１１ａと操作基板６００との間の空間に連結される連結領域は、連結領域とメタルドームシート通気開口６１１ｅとの間にメタルドーム６１１ａを挟む位置に形成されている。
【００３７】
一方、操作基板６００上には、第１のスイッチ配線部６０６と、第２のスイッチ配線部６０７とが設けられている。第２のスイッチ配線部６０７はメタルドーム６１１ａの周縁部と常に接触して電気的に結合しているが、メタルドーム６１１ａは第１のスイッチ配線部６０６とは接触していない。電源ボタン１０１が押下されてメタルドーム６１１ａが押圧されると、メタルドーム６１１ａが変形し、第１のスイッチ配線部６０６と第２のスイッチ配線部６０７とがメタルドーム６１１ａを介して導通する。これにより、メタルドーム６１１ａ（電源ボタン１０１）が押下されたことを検知することができる。
【００３８】
メタルドームシート６１１を操作基板６００に粘着固定する際には、メタルドームシート６１１の位置決め孔６１１ｉと操作基板６００の位置決め孔６００ｉとを合わせることにより、固定位置を決定する。その際、位置決め孔６１１ｉ，６００ｉ同士の距離が離れている方が好ましく、これにより、固定作業の際の位置ズレを抑えることができる。このような構成において第１のメタルドームシート６１１を小型化するには、空気の経路６１１ｇをメタルドーム６０１ａの周縁部に沿わせて形成し、位置決め孔６１１ｉを空気の経路６１１ｇよりもメタルドーム６０１ａの中心から離れた位置に設ける。その理由は、第１実施形態のメタルドームシート６０１と同じである。
【００３９】
第１のメタルドームシート６１１では、メタルドーム６１１ａの切り欠かれた一方の辺に対応する領域６１１ｆと中心線６０８を挟んで対向する他方の辺に対応する部分から、第１のスイッチ配線部６０６と第２のスイッチ配線部６０７の信号線が引き出されている。一般的に、第１のスイッチ配線部６０６は信号線に割り当てられ、第２のスイッチ配線部６０７は接地電位となるグランドに割り当てられる。そのため、メタルドームシート通気開口６１１ｅから空気の経路６１１ｇを経由して静電気が侵入したとしても、グランドである第２のスイッチ配線部６０７が避雷針となる。これにより、信号線である第１のスイッチ配線部６０６に静電気が印加されて電子回路が損傷するのを防ぐことができる。
【００４０】
以上の説明の通り、第２実施形態では、メタルドームシート通気開口６１１ｅを設けた第１のメタルドームシート６１１において、避雷針等の特別な配線を別途設けることなく、静電気の侵入を防ぐことができる。これにより、電子回路の損傷や誤動作を防止することができる。
【００４１】
＜第３実施形態＞
図５（ａ）は、本発明の第３実施形態に係るデジタルカメラの電源ボタン１０１近傍の構造を示す上面透視図であり、図５（ｂ）は、電源ボタン１０１近傍の構造をデジタルカメラの背面側から見た図である。
【００４２】
第１のメタルドームシート６２１は、メタルドーム６２１ａ、粘着シート６２１ｂ及びＰＥＴフィルム６２１ｃにより構成されている。メタルドーム６２１ａは、粘着シート６２１ｂによりＰＥＴフィルム６２１ｃに粘着固定されている。粘着シート６２１ｂには、メタルドーム６２１ａが押圧されたときに空気を逃がすための空気の経路６２１ｇが形成されている。ここで、ＰＥＴフィルム６２１ｃの面積が小さい場合、ＰＥＴフィルムの周縁部まで空気の経路を延出させて、メタルドームが変形したときに、メタルドームと基板との間の空気を排出する必要がある。そのため、第１のメタルドームシート６２１の周縁部には、メタルドームシート通気開口６２１ｅが設けられている。第１のメタルドームシート６２１には、メタルドーム６２１ａと操作基板６００との間の空間と、メタルドームシート通気開口６２１ｅとを連結した空気の経路６２１ｇが形成されている。
【００４３】
メタルドーム６１１ａは、第１実施形態で説明したメタルドーム６０１ａと同じである。空気の経路６２１ｇは、粘着シート６２１ｂにおいて、メタルドーム６２１ａの切り欠かれた一方の辺に対応する領域６２１ｆから中心線６０８を挟んで対向する領域に設けられたメタルドームシート通気開口６２１ｅまで延出されている。すなわち、空気の経路６２１ｇがメタルドーム６２１ａと操作基板６００との間の空間に連結される連結領域は、連結領域とメタルドームシート通気開口６２１ｅとの間にメタルドーム６２１ａを挟む位置に形成されている。
【００４４】
操作基板６００上には、第１のスイッチ配線部６０６と、第２のスイッチ配線部６０７とが設けられている。第２のスイッチ配線部６０７はメタルドーム６２１ａの周縁部と常に接触して電気的に結合しているが、メタルドーム６２１ａは第１のスイッチ配線部６０６とは接触していない。電源ボタン１０１が押下されてメタルドーム６２１ａが押圧されると、メタルドーム６２１ａが弾性変形し、第１のスイッチ配線部６０６と第２のスイッチ配線部６０７がメタルドーム６２１ａを介して導通する。これにより、メタルドーム６２１ａ（電源ボタン１０１）が押下されたことを検知することができる。
【００４５】
ここで、電源ボタン１０１には、第１のメタルドームシート６２１に当接したときの押圧動作を規制する（つまり、押し込まれるストローク長を規制する）ための押圧受け部１０１ａが設けられている。そして、空気の経路６２１ｇは、電源ボタン１０１の押圧受け部１０１ａに対応する位置を回避するように設けられている。そのため、電源ボタン１０１が押下されたときに、空気の経路６２１ｇが電源ボタン１０１によって潰されることなく、空気の流れが確保される。
【００４６】
第１のメタルドームシート６２１では、メタルドーム６２１ａの切り欠かれた一方の辺に対応する領域６２１ｆと対向する辺に対応する部分から、第１のスイッチ配線部６０６と第２のスイッチ配線部６０７の信号線が引き出されている。ここで、一般的に、第１のスイッチ配線部６０６は信号線に割り当てられ、第２のスイッチ配線部６０７は接地電位となるグランドに割り当てられる。そのため、メタルドームシート通気開口６２１ｅから空気の経路６２１ｇを経由して静電気が侵入したとしても、グランドである第２のスイッチ配線部６０７が避雷針となる。これにより、信号線である第１のスイッチ配線部６０６に静電気が印加されて電子回路が損傷するのを防ぐことができる。
【００４７】
以上の説明の通り、メタルドームシート通気開口６２１ｅを設けた第１のメタルドームシート６２１によれば、空気の経路６２１ｇが電源ボタン１０１により塞がれることがないため、スムーズな空気の逃げが確保され、良好な操作感を得ることができる。また、避雷針等の特別な配線を別途設けることなく、静電気の侵入を防ぐことができ、これにより、電子回路の損傷や誤動作を防止することができる。
【００４８】
＜第４実施形態＞
図６（ａ）は、本発明の第４実施形態に係るデジタルカメラの部分的な分解斜視図であり、図６（ｂ）は、図６（ａ）に示す第１のメタルドームシート６３１の平面透視図である。第１のメタルドームシート６３１は、メタルドーム６３１ａ、粘着シート６３１ｂ及びＰＥＴフィルム６３１ｃにより構成されている。メタルドーム６３１ａは、粘着シート６３１ｂによりＰＥＴフィルム６３１ｃに粘着固定されている。
【００４９】
粘着シート６３１ｂには、メタルドーム６３１ａが押圧されたときに空気を逃がすための空気の経路６３１ｇが形成されている。ここで、ＰＥＴフィルム６３１ｃの面積が小さい場合、ＰＥＴフィルム６３１ｃの周縁部まで空気の経路６３１ｇを延出させて、メタルドームが変形したときに、メタルドームと基板との間の空気を排出する必要がある。そのため、第１のメタルドームシート６３１の周縁部には、メタルドームシート通気開口６３１ｅが設けられている。第１のメタルドームシート６３１には、メタルドーム６３１ａと操作基板６００との間の空間と、メタルドームシート通気開口６３１ｅとを連結した空気の経路６３１ｇが形成されている。
【００５０】
操作基板６００上には、第１のスイッチ配線部６０６と、第２のスイッチ配線部６０７とが設けられている。メタルドーム６３１ａは、第１実施形態で説明したメタルドーム６０１ａと同じであり、第２のスイッチ配線部６０７はメタルドーム６３１ａの周縁部と常に接触して電気的に結合しているが、メタルドーム６３１ａは第１のスイッチ配線部６０６とは接触していない。電源ボタン１０１が押下されてメタルドーム６３１ａが押圧されると、メタルドーム６３１ａが弾性変形し、第１のスイッチ配線部６０６と第２のスイッチ配線部６０７がメタルドーム６３１ａを介して導通する。これにより、メタルドーム６３１ａ（電源ボタン１０１）が押下されたことを検知することができる。
【００５１】
電源ボタン１０１には、第１のメタルドームシート６３１に当接したときの押圧動作を規制するための押圧受け部１０１ａが設けられている。空気の経路６３１ｇは、メタルドーム６３１ａの切り欠かれた一方の辺に対応する領域６３１ｆから中心線６０８を挟んで対向する領域に設けられたメタルドームシート通気開口６３１ｅまで延出されている。すなわち、空気の経路６３１ｇがメタルドーム６３１ａと操作基板６００との間の空間に連結される連結領域は、連結領域とメタルドームシート通気開口６３１ｅとの間にメタルドーム６３１ａを挟む位置に形成されている。このとき、空気の経路６３１ｇは、電源ボタン１０１の押圧受け部１０１ａに対応する位置を回避しながら、第１のメタルドームシート６３１の内部で蛇行するように形成されている。これは、沿面距離を確保しつつ第１のメタルドームシート６３１の形状をより小型化するためには、第１のメタルドームシート６３１の一角で蛇行するよりも、少なくとも第１のメタルドーム６３１の半周分の領域で蛇行させる方が好ましいからである。
【００５２】
以上の説明の通り、メタルドームシート通気開口６３１ｅを設けた第１のメタルドームシート６３１によれば、空気の経路６３１ｇが電源ボタン１０１により塞がれることがないため、スムーズな空気の逃げが確保され、良好な操作感を得ることができる。また、避雷針等の特別な配線を別途設けることなく、静電気の侵入を防ぐことができ、これにより、電子回路の損傷や誤動作を防止することができる。
【００５３】
＜第５実施形態＞
図７（ａ）は、本発明の第５実施形態に係るデジタルカメラの部分的な分解斜視図であり、図７（ｂ）は、図７（ａ）に示す第１のメタルドームシート６４１の平面透視図である。第１のメタルドームシート６４１は、メタルドーム６４１ａ、粘着シート６４１ｂ及びＰＥＴフィルム６４１ｃにより構成されている。メタルドーム６４１ａは、粘着シート６４１ｂによりＰＥＴフィルム６４１ｃに粘着固定されている。
【００５４】
粘着シート６４１ｂには、メタルドーム６４１ａが押圧されたときに空気を逃がすための空気の経路６４１ｇが形成されている。ここで、ＰＥＴフィルム６４１ｃの面積が小さい場合、ＰＥＴフィルム６４１ｃの周縁部まで空気の経路を延出させて、メタルドームが変形したときに、メタルドームと基板との間の空気を排出する必要がある。そのため、第１のメタルドームシート６４１の周縁部にはメタルドームシート通気開口６４１ｅが設けられている。第１のメタルドームシート６４１には、メタルドーム６４１ａと操作基板６００との間の空間と、メタルドームシート通気開口６４１ｅとを連結した空気の経路６４１ｇが形成されている。
【００５５】
操作基板６００上には、第１のスイッチ配線部６０６と、第２のスイッチ配線部６０７とが設けられている。メタルドーム６４１ａは、第１実施形態で説明したメタルドーム６０１ａと同じであり、第２のスイッチ配線部６０７はメタルドーム６４１ａの周縁部と常に接触して電気的に結合しているが、メタルドーム６４１ａは第１のスイッチ配線部６０６とは接触していない。電源ボタン１０１が押下されてメタルドーム６４１ａが押圧されると、メタルドーム６４１ａが弾性変形し、第１のスイッチ配線部６０６と第２のスイッチ配線部６０７がメタルドーム６４１ａを介して導通する。これにより、メタルドーム６３１ａ（電源ボタン１０１）が押下されたことを検知することができる。
【００５６】
電源ボタン１０１には、第１のメタルドームシート６３１に当接したときの押圧動作を規制するための押圧受け部１０１ａが設けられている。空気の経路６４１ｇは、粘着シート６４１ｂにおいて、メタルドーム６４１ａの切り欠かれた一方の辺に対応する領域６４１ｆから中心線６０８を挟んで対向する領域に設けられたメタルドームシート通気開口６４１ｅまで延出されている。すなわち、空気の経路６４１ｇがメタルドーム６４１ａと操作基板６００との間の空間に連結される連結領域は、連結領域とメタルドームシート通気開口６４１ｅとの間にメタルドーム６４１ａを挟む位置に形成されている。このとき、空気の経路６４１ｇは、電源ボタン１０１の押圧受け部１０１ａに対応する位置を回避しながら、第１のメタルドームシート６４１内で略直角に曲げて形成されている。
【００５７】
よって、メタルドームシート通気開口６４１ｅを設けた第１のメタルドームシート６４１では、空気の経路６４１ｇが電源ボタン１０１により塞がれることがないため、スムーズな空気の逃げが確保され、良好な操作感を得ることができる。また、空気の経路６４１ｇを直角に曲げることにより、メタルドームシート通気開口６４１ｅからメタルドーム６４１までの沿面距離を確保することができる。これにより、避雷針等の特別な配線を別途設けることなく静電気の侵入を防ぐことができ、よって、電子回路の損傷や誤動作を防止することができる。
【００５８】
＜第６実施形態＞
図８（ａ）は、本発明の第６実施形態に係るデジタルカメラの部分的な分解斜視図であり、図８（ｂ）は、図８（ａ）に示す第１のメタルドームシート６５１の平面透視図である。第１のメタルドームシート６５１は、メタルドーム６５１ａ、粘着シート６５１ｂ及びＰＥＴフィルム６５１ｃにより構成されている。メタルドーム６５１ａは、粘着シート６５１ｂによりＰＥＴフィルム６５１ｃに粘着固定されている。
【００５９】
粘着シート６５１ｂには、メタルドーム６５１ａが押圧されたときに空気を逃がすための空気の経路６５１ｇが形成されている。ここで、ＰＥＴフィルム６５１ｃの面積が小さい場合、ＰＥＴフィルムの周縁部まで空気の経路を延出させて、メタルドームが変形したときに、メタルドームと基板との間の空気を排出する必要がある。そのため、第１のメタルドームシート６５１の周縁部には、メタルドームシート通気開口６５１ｅが設けられている。第１のメタルドームシート６５１には、メタルドーム６５１ａと操作基板６００との間の空間と、メタルドームシート通気開口６５１ｅとを連結した空気の経路６５１ｇが形成されている。
【００６０】
操作基板６００上には、第１のスイッチ配線部６０６と、第２のスイッチ配線部６０７とが設けられている。メタルドーム６５１ａは、第１実施形態で説明したメタルドーム６０１ａと同じであり、第２のスイッチ配線部６０７はメタルドーム６５１ａの周縁部と常に接触して電気的に結合しているが、メタルドーム６５１ａは第１のスイッチ配線部６０６とは接触していない。電源ボタン１０１が押下されてメタルドーム６５１ａが押圧されると、メタルドーム６５１ａが弾性変形し、第１のスイッチ配線部６０６と第２のスイッチ配線部６０７がメタルドーム６５１ａを介して導通する。これにより、メタルドーム６５１ａ（電源ボタン１０１）が押下されたことを検知することができる。
【００６１】
空気の経路６５１ｇは、粘着シート６５１ｂにおいて、メタルドーム６５１ａの切り欠かれた一方の辺に対応する領域６５１ｆから中心線６０８を挟んで対向する領域に設けられたメタルドームシート通気開口６５１ｅまで延出されている。すなわち、空気の経路６５１ｇがメタルドーム６５１ａと操作基板６００との間の空間に連結される連結領域は、連結領域とメタルドームシート通気開口６５１ｅとの間にメタルドーム６５１ａを挟む位置に形成されている。ここで、電源ボタン１０１を押圧操作において良好な感触を得るためには、電源ボタン１０１を押圧動作可能に保持する腕部１０１ｂを長く設定する方が好ましく、そのとき、腕部１０１ｂの途中に押圧受け部等を設けることは行わない。そこで、空気の経路６５１ｇを、電源ボタン１０１の腕部１０１ｂの操作基板６００上への投影形状と略同一の形状を有するように形成する。
【００６２】
これにより、メタルドームシート通気開口６５１ｅを設けた第１のメタルドームシート６５１によれば、空気の経路６５１ｇが電源ボタン１０１により塞がれることがないため、スムーズな空気の逃げが確保され、良好な操作感を得ることができる。また、避雷針等の特別な配線を別途設けることなく、沿面距離を確保することができるため、静電気の侵入を防いで、電子回路の損傷や誤動作を防止することができる。
【００６３】
＜第７実施形態＞
図９（ａ）は、本発明の第７実施形態に係るデジタルカメラの部分的な分解斜視図であり、図９（ｂ）は、図９（ａ）に示す第１のメタルドームシート６６１の平面透視図である。第１のメタルドームシート６６１は、メタルドーム６６１ａ、粘着シート６６１ｂ及びＰＥＴフィルム６６１ｃにより構成されている。メタルドーム６６１ａは、粘着シート６６１ｂによりＰＥＴフィルム６６１ｃに粘着固定されている。
【００６４】
粘着シート６６１ｂには、メタルドーム６６１ａが押圧されたときに空気を逃がすための空気の経路６６１ｇが形成されている。ここで、ＰＥＴフィルム６６１ｃの面積が小さい場合、ＰＥＴフィルムの周縁部まで空気の経路を延出させて、メタルドームが変形したときに、メタルドームと基板との間の空気を排出する必要がある。そのため、第１のメタルドームシート６６１の周縁部には、メタルドームシート通気開口６６１ｅが設けられている。第１のメタルドームシート６６１には、メタルドーム６６１ａと操作基板６００との間の空間と、メタルドームシート通気開口６６１ｅとを連結した空気の経路６６１ｇが形成されている。
【００６５】
操作基板６００上には、第１のスイッチ配線部６０６と、第２のスイッチ配線部６０７とが設けられている。メタルドーム６６１ａは、第１実施形態で説明したメタルドーム６０１ａと同じであり、第２のスイッチ配線部６０７はメタルドーム６６１ａの周縁部と常に接触して電気的に結合しているが、メタルドーム６６１ａは第１のスイッチ配線部６０６とは接触していない。電源ボタン１０１が押下されてメタルドーム６６１ａが押圧されると、メタルドーム６６１ａが弾性変形し、第１のスイッチ配線部６０６と第２のスイッチ配線部６０７がメタルドーム６６１ａを介して導通する。これにより、メタルドーム６３１ａ（電源ボタン１０１）が押下されたことを検知することができる。
【００６６】
空気の経路６６１ｇは、粘着シート６６１ｂにおいて、メタルドーム６６１ａの切り欠かれた一方の辺に対応する領域６６１ｆから中心線６０８を挟んで対向する領域に設けられたメタルドームシート通気開口６６１ｅまで延出されている。すなわち、空気の経路６６１ｇがメタルドーム６６１ａと操作基板６００との間の空間に連結される連結領域は、連結領域とメタルドームシート通気開口６６１ｅとの間にメタルドーム６６１ａを挟む位置に形成されている。
【００６７】
第７実施形態では、操作基板６００に接地電位となるグランド配線部６０９を設けており、空気の経路６６１ｇをグランド配線部６０９に沿って形成している。このとき、グランド配線部６０９を露出させることにより、グランド配線部６０９を避雷針として用いることができる。こうして、メタルドームシート通気開口６６１ｅを設けた第１のメタルドームシート６６１において、静電気の侵入を防いで、電子回路の損傷や誤動作を防ぐことができる。
【００６８】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【符号の説明】
【００６９】
１０１    電源ボタン
１０１ａ    押圧受け部
１０１ｂ    腕部
６００    操作基板
６０１，６１１，６２１，６３１，６４１，６５１，６６１    第１のメタルドームシート
６０１ａ，６１１ａ，６２１ａ，６３１ａ，６４１ａ，６５１ａ，６６１ａ    メタルドーム
６０１ｅ，６１１ｅ，６２１ｅ，６３１ｅ，６４１ｅ，６５１ｅ，６６１ｅ    メタルドームシート通気開口
６０１ｇ，６１１ｇ，６２１ｇ，６３１ｇ，６４１ｇ，６５１ｇ，６６１ｇ    空気の経路
６００ｉ、６０１ｉ、６１１ｉ位置決め孔
６０６    第１のスイッチ配線部
６０７    第２のスイッチ配線部
６０９    グランド配線部
【図１】
2015076171.tif 000003
【図２】
2015076171.tif 000004
【図３】
2015076171.tif 000005
【図４】
2015076171.tif 000006
【図５】
2015076171.tif 000007
【図６】
2015076171.tif 000008
【図７】
2015076171.tif 000009
【図８】
2015076171.tif 000010
【図９】
2015076171.tif 000011